(57)【要約】      （修正有）【課題】側面に水平方向に延びる溝が形成されている帯板状の床板が平行に並べられて複数枚設置される際、隣接する帯板状床板の側面に形成されている前記溝を利用して固定を行うことに使用される固定金物を提供する。【解決手段】長手方向に延びる中央の支持部と、前記長手方向に直交する方向である前記支持部の左右の方向における前記支持部の端縁からそれぞれ下側方向に向かって延びる２枚の下部垂直片４ａ，４ｂと、前記下部垂直片が配備されている前記支持部の左右の端縁に対向する端縁からそれぞれ前記支持部から離れる方向で斜め上側に向かって延びる２枚の上部斜向片５ａ，５ｂと、前記上部斜向片におけるいずれか一方又は双方の上部斜向片の上端縁に形成されていて、当該いずれか一方の上部斜向片が延びる方向、又は、双方の上部斜向片が延びる方向に突出する先端突起部６ａ，６ｂとを備えている。【選択図】図１
0003158830.tif 000002
【実用新案登録請求の範囲】
【請求項１】
長手方向に延びる中央の支持部と、
前記長手方向に直交する方向である前記支持部の左右の方向における前記支持部の端縁からそれぞれ下側方向に向かって延びる２枚の下部垂直片と、
前記下部垂直片が配備されている前記支持部の左右の端縁に対向する端縁からそれぞれ前記支持部から離れる方向で斜め上側に向かって延びる２枚の上部斜向片と、
前記上部斜向片におけるいずれか一方又は双方の上部斜向片の上端縁に形成されていて、当該いずれか一方の上部斜向片が延びる方向、又は、双方の上部斜向片が延びる方向に突出する先端突起部と
を備えている固定金物。
【請求項２】
長手方向に延びる中央の支持部と、
前記長手方向に直交する方向である前記支持部の左右の方向における前記支持部の端縁からそれぞれ上側方向に形成された突部と、
前記突部が形成されている端縁からそれぞれ下側方向に向かって延びる２枚の下部垂直片と、
前記突部及び下部垂直片が配備されている前記支持部の左右の端縁に対向する端縁からそれぞれ前記支持部から離れる方向で斜め上側に向かって延びる２枚の上部斜向片と、
前記上部斜向片におけるいずれか一方又は双方の上部斜向片の上端縁に形成されていて、当該いずれか一方の上部斜向片が延びる方向、又は、双方の上部斜向片が延びる方向に突出する先端突起部と
を備えている固定金物。
【請求項３】
前記支持部がビス挿通孔を備えていることを特徴とする請求項１又は２記載の固定金物である。
【請求項４】
前記ビス挿通孔は前記支持部の長手方向における中央部に形成されており、
前記下部垂直片は、前記支持部の前記ビス挿通孔が形成されている位置を中心として対称となる位置に形成されている
ことを特徴とする請求項３記載の固定金物。
【請求項５】
前記支持部の左右の端縁と、前記上部斜向片の下端との間に、前記支持部の左右の端縁から下側方向に向けて窪む溝条が形成されていることを特徴とする請求項１乃至４のいずれか一項記載の固定金物。
【請求項６】
請求項１乃至４のいずれか一項記載の固定金物に対して組み合わされる覆い部材であって、
下端側が開口している断面三角形状で長手方向に延び、三角形状を構成する各片の下端縁が前記支持部の上側面で支持されることを特徴とする覆い部材。
【請求項７】
請求項５記載の固定金物に対して組み合わされる覆い部材であって、
下端側が開口している断面三角形状で長手方向に延び、三角形状を構成する各片の下端縁が前記溝状に装着されることを特徴とする覆い部材。
【考案の詳細な説明】
【技術分野】
【０００１】
この考案は、隙間を空けて並列に設置される帯板状の床板を固定する固定金物に関し、特に、側面に水平方向に延びる溝が形成されている帯板状の床板が平行に並べられて複数枚設置される際、隣接する帯板状床板の側面に形成されている前記溝を利用して固定を行うことに使用される固定金物に関する。また、このような固定金物に組み合わされる覆い部材に関する。
【背景技術】
【０００２】
各種イベントや遊歩道などで用いられる屋外フローリングとしては、帯板状の床板を等間隔で配列し、各床板毎に根太へビス止め等をする方法が一般的である。
【０００３】
また、上記の方法以外に、各床板の側面に溝を設け、その溝に床板取り付け用の金物を挿入して、金物を根太へビス止めする方法等も提案されている（例えば特許文献１）。
【０００４】
このような提案により、帯板状の床板の設置及び取り外しが容易になってはいるが、任意の箇所の床板の一枚あるいは複数枚を取り外ししたいという要望に十分に対処する上で、金物の形状等に関して改善の余地があった。
【０００５】
また、帯板状の床板が平行に並べられて複数枚設置される際、隣接する床板同士の間に隙間が生じ、それが露出する場合には、そこに異物が入り込むことが予想される。そこで、床板設置構造がこのようになる場合には、これを防止し、改善する必要があった。
【先行技術文献】
【特許文献】
【０００６】
【特許文献１】実用新案登録第３１２０８５１号公報
【特許文献２】特開平７−２１７１６２号公報
【考案の概要】
【考案が解決しようとする課題】
【０００７】
この考案は、側面に水平方向に延びる溝が形成されている帯板状の床板が平行に並べられて複数枚設置される際、隣接する帯板状床板の側面に形成されている前記溝を利用して固定を行うことに使用される固定金物の形状、構造に改善を加え、床板施行を容易にし、床板設置後任意の一枚若しくは複数枚の床板を簡単に取り外し又は取り付けすることができる固定金物を提案することを目的にしている。また、このような固定金物を用いて固定された隣接する床板同士の間に形成される隙間、すなわち、並列に設置された床板の目地に異物が落下することを効果的に防ぐ覆い部材を提案することを目的にしている。
【課題を解決するための手段】
【０００８】
請求項１の考案は、
長手方向に延びる中央の支持部と、
前記長手方向に直交する方向である前記支持部の左右の方向における前記支持部の端縁からそれぞれ下側方向に向かって延びる２枚の下部垂直片と、
前記下部垂直片が配備されている前記支持部の左右の端縁に対向する端縁からそれぞれ前記支持部から離れる方向で斜め上側に向かって延びる２枚の上部斜向片と、
前記上部斜向片におけるいずれか一方又は双方の上部斜向片の上端縁に形成されていて、当該いずれか一方の上部斜向片が延びる方向、又は、双方の上部斜向片が延びる方向に突出する先端突起部と
を備えている固定金物である。
【０００９】
請求項２の考案は、
長手方向に延びる中央の支持部と、
前記長手方向に直交する方向である前記支持部の左右の方向における前記支持部の端縁からそれぞれ上側方向に形成された突部と、
前記突部が形成されている端縁からそれぞれ下側方向に向かって延びる２枚の下部垂直片と、
前記突部及び下部垂直片が配備されている前記支持部の左右の端縁に対向する端縁からそれぞれ前記支持部から離れる方向で斜め上側に向かって延びる２枚の上部斜向片と、
前記上部斜向片におけるいずれか一方又は双方の上部斜向片の上端縁に形成されていて、当該いずれか一方の上部斜向片が延びる方向、又は、双方の上部斜向片が延びる方向に突出する先端突起部と
を備えている固定金物である。
【００１０】
請求項３の考案は、
前記支持部がビス挿通孔を備えていることを特徴とする請求項１又は２記載の固定金物である。
【００１１】
請求項４の考案は、
前記ビス挿通孔は前記支持部の長手方向における中央部に形成されており、
前記下部垂直片は、前記支持部の前記ビス挿通孔が形成されている位置を中心として対称となる位置に形成されている
ことを特徴とする請求項３記載の固定金物である。
【００１２】
請求項５の考案は、
前記支持部の左右の端縁と、前記上部斜向片の下端との間に、前記支持部の左右の端縁から下側方向に向けて窪む溝条が形成されていることを特徴とする請求項１乃至４のいずれか一項記載の固定金物である。
【００１３】
請求項６の考案は、
請求項１乃至４のいずれか一項記載の固定金物に対して組み合わされる覆い部材であって、
下端側が開口している断面三角形状で長手方向に延び、三角形状を構成する各片の下端縁が前記支持部の上側面で支持されることを特徴とする覆い部材である。
【００１４】
請求項７の考案は、
請求項５記載の固定金物に対して組み合わされる覆い部材であって、
下端側が開口している断面三角形状で長手方向に延び、三角形状を構成する各片の下端縁が前記溝状に装着されることを特徴とする覆い部材である。
【考案の効果】
【００１５】
この考案によれば、側面に水平方向に延びる溝が形成されている帯板状の床板が平行に並べられて複数枚設置される際、隣接する帯板状床板の側面に形成されている前記溝を利用して固定を行うことに使用される固定金物の形状、構造に改善を加え、床板施行を容易にし、床板設置後任意の一枚若しくは複数枚の床板を簡単に取り外し又は取り付けすることができる固定金物を提案することができる。また、このような固定金物を用いて固定された隣接する床板同士の間に形成される隙間、すなわち、並列に設置された床板の目地に異物が落下することを効果的に防ぐ覆い部材を提供することができる。
【図面の簡単な説明】
【００１６】
【図１】本考案に係る固定金物の一例を表す斜視図。
【図２】（ａ）図１図示の固定金物の正面図、（ｂ）図１図示の固定金物の平面図、（ｃ）図１図示の固定金物の左側面図。
【図３】側面に水平方向に延びる溝が形成されている帯板状の床板が平行に並べられて設置される際、図１図示の固定金物を用い、隣接する帯板状床板の側面に形成されている前記溝を利用して固定を行い、本考案の覆い部材を装着した状態を説明する一部を省略した断面図。
【図４】図１図示の固定金物を用いて隣接する床板を固定する工程の一例を説明する図であって、（ａ）は一方の床板の側面に形成されている水平方向に延びる溝に図１図示の固定金物を装着した状態を表す一部を省略した斜視図、（ｂ）は引き続いて他方の床板が取り付けられて固定が完了する状態を説明する一部を省略した斜視図。
【図５】側面に水平方向に延びる溝が形成されている帯板状の床板が平行に並べられて設置される際、図１図示の固定金物を用い、隣接する帯板状床板の側面に形成されている前記溝を利用して固定を行った状態を説明する図であって（ａ）は一部を省略した平面図、（ｂ）は一部を省略した底面図、（ｃ）は一部を省略した側面図。
【図６】側面に水平方向に延びる溝が形成されている帯板状の床板が平行に並べられて設置される際、図１図示の固定金物を用い、隣接する帯板状床板の側面に形成されている前記溝を利用して固定を行ない、更に、本考案の覆い部材を装着した状態を説明する図であって（ａ）は一部を省略した平面図、（ｂ）は一部を省略した側面図。
【図７】（ａ）本考案に係る他の固定金物の例を表す斜視図、（ｂ）側面に水平方向に延びる溝が形成されている帯板状の床板が平行に並べられて設置される際、図７（ａ）図示の固定金物を用い、隣接する帯板状床板の側面に形成されている前記溝を利用して固定を行なった状態を説明する一部を省略した側面図。
【図８】（ａ）本考案に係る更に他の固定金物の例を表す斜視図、（ｂ）側面に水平方向に延びる溝が形成されている帯板状の床板が平行に並べられて設置される際、図８（ａ）図示の固定金物を用い、隣接する帯板状床板の側面に形成されている前記溝を利用して固定を行なった状態を説明する一部を省略した側面図。
【図９】（ａ）本考案に係る他の固定金物を用いて、側面に水平方向に延びる溝が形成されている帯板状の床板が平行に並べられて設置される際、隣接する帯板状床板の側面に形成されている前記溝を利用して固定を行なった状態を説明する一部を省略した側面図、（ｂ）図９（ａ）図示の固定状態で、更に、本考案の覆い部材を装着した状態を説明する一部を省略した側面図、（ｃ）本考案に係る他の固定金物を用いて、側面に水平方向に延びる溝が形成されている帯板状の床板が平行に並べられて設置される際、隣接する帯板状床板の側面に形成されている前記溝を利用して固定を行ない、更に、本考案の覆い部材を装着した状態を説明する一部を省略した側面図。
【考案を実施するための形態】
【００１７】
以下、本考案を実施するための形態について、添付図面を参照していくつかの好ましい実施例を説明する。
【実施例１】
【００１８】
本考案の実施例を図１〜図６に基づいて説明する。
【００１９】
図１及び図２は、本考案に係る固定金物１ａの形状を示している。
【００２０】
固定金物１ａは、ビス孔２を備えていて、長手方向に延びる中央の支持部である平坦部３と、平坦部３の左右の端縁からそれぞれ平坦部３に直交し、下側方向に向かって延びる２枚の下部垂直片４ａ、４ｂを備えている。また、支持部を構成する平坦部３の下部垂直片４ａ、４ｂが配備されている左右の端縁に対向する端縁から、それぞれ、平坦部３から離れる方向で斜め上側に向かって延びる２枚の上部斜向片５ａ、５ｂを備えている。
【００２１】
このような構造の固定金物１ａは、図１、図２（ａ）図示のように、平坦部３から上側がスプリングを兼ねた略Ｖ字型形状になるため、肉厚は薄くても強度はある。
【００２２】
図示の実施形態では、平坦部３の左右の端縁と、上部斜向片５ａ、５ｂの下端との間には、それぞれ、平坦部３の左右の端縁から下側方向に向けて窪む溝条７が形成されている（図１、図２（ａ））。
【００２３】
また、図示の実施形態では、ビス孔２は平坦部３の中央に形成されている。
【００２４】
図示の実施形態では、２枚の下部垂直片４ａ、４ｂは、平坦部３の前記ビス孔２が形成されている位置を中心として対称となる位置に形成されている。
【００２５】
図示の実施形態では、上部斜向片５ａ、５ｂそれぞれの上端縁には、各上部斜向片が５ａ、５ｂが延びる方向に突出する先端突起部６ａ、６ｂが形成されている。なお、先端突起部６ａ、６ｂは、上部斜向片５ａ、５ｂのどちらか一方の上端縁にのみ形成されている形態にすることもできる。
【００２６】
図４（ａ）、（ｂ）は固定金物１ａを用いて、側面に水平方向に延びる溝１２が形成されている帯板状の床板８ａ、８ｂが平行に並べられて設置される際、隣接する帯板状の床板８ａ、８ｂの側面に形成されている溝１２、１２を利用して固定を行なう状態を説明する図である。
【００２７】
上部斜向片５ａを床板８ａに設けられている溝１２に嵌挿する。このとき先端突起部６ａが溝１２の上部側に食い込むので、床板８ａと固定金物１ａは滑ることなく固定される。
【００２８】
上部斜向片５ａを床板８ａの溝１２に嵌挿した後、ビス孔２へビス１０を挿入し、ビス１０の下端部を根太（不図示）に螺入し床板８ａを固定する。
【００２９】
前記した後、上部斜向片５ｂは平坦部３から離れる方向で斜め上側に向かって延びているので、床板９ａの溝１２を斜め方向から上部斜向片５ｂに嵌挿させる（図４（ｂ））。このとき床板８ａと床板９ａとは、固定金物１ａの形状・構造にしたがって、略Ｖ字を形成しているので、床板９ａを根太に接触させるように力を加え、床板９ａを根太に設置させる。
【００３０】
先端突起部６ｂは先端突起部６ａと同様に、床板９ａの溝１２の上部側に食い込むので、床板９ａと固定金物１ａは滑ることなく固定される。
【００３１】
なお、上部斜向片５ａを床板８ａの溝１２に嵌挿した後、床板９ａの溝１２を斜め方向から上部斜向片５ｂに嵌挿させ、床板８ａと床板９ａとが、固定金物１ａの形状・構造にしたがって略Ｖ字を形成している状態にし、その後、床板９ａを根太に接触させるように力を加えて、図５（ｃ）図示のように、隣接する床板８ａと床板９ａとを両者の間に固定金物１ａの左右方向の大きさ意に対応した隙間を空けて並列に設置し、その後、ビス孔２へビス１０を挿入し、ビス１０の下端部を根太（不図示）に螺入し床板８ａ、床板９ａを根太（不図示）に固定することもできる。
【００３２】
一時的に隣接する床板８ａと床板９ａとを両者の間に固定金物１ａの左右方向の大きさ意に対応した隙間を空けて並列に設置するだけであるならば、ビス１０による固定を省略することができる。この場合には、図示し、説明した固定金物１ａにおいて、ビス孔２を備えていない構造ものものを採用することができる。
【００３３】
本考案の固定金物１ａは、上部斜向片５ａ、５ｂが平坦部３から離れる方向で平坦部３から斜め上側に向かって延びている。そこで、並列設置する、側面に水平方向に延びる溝１２、１２を備えている帯板状の床板８ａ、床板９ａを、その方向に合わせるように斜めに固定金物１ａに嵌込むだけで少ない力で、側面に水平方向に延びる溝１２、１２を備えている帯板状の床板を並列設置することができる。
【００３４】
いずれにしても、先端突起部６ａ、６ｂは、それぞれ床板８ａ、９ａ両側に食い込むため、今迄の片側支持に比べ床板がきしめくことはない。
【００３５】
３枚目以降の床板も前記のように固定金物１ａを用いてて取り付けて根太に設置することにより、床板の設置及び固定が容易になる。これは従来の固定金物の使用では見られない優れた特徴である。
【００３６】
また、固定金物１ａの下部垂直片４ａは床板８ａの側面下側と接し、下部垂直片４ｂは床板９ａの側面下側と接する（図５（ｃ））。従ってこの面接触によっても床板８ａ、９ａの固定が担われる。
【００３７】
また、図２（ａ）図示のように、平坦部３から上側がスプリングを兼ねた略Ｖ字型形状になっている固定金物１ａの上部斜向片５ａ、５ｂに、それぞれ、隣接する床板８ａ、床板９ａの溝１２、１２を装着し、固定金物１ａの形状・構造にしたがって略Ｖ字を形成している床板８ａ、床板９ａを、斜め下側に向けて押し付けることによって、図５（ｃ）図示のように、平坦部３と平行な水平状態に床板８ａ、床板９ａを並列設置する際に、床板８ａの側面下側と接する固定金物１ａの下部垂直片４ａ及び、床板９ａの側面下側と接する固定金物１ａの下部垂直片４ｂが、支持片としての役割を果たし、上部斜向片５ａ、５ｂの先端突起部６ａ、６ａを、床板８ａ、床板９ａの溝１２、１２の上部側により強固に食い込ませ、安定的な固定、結合を実現することができる。
【００３８】
また、前述したように、固定金物１ａの下部垂直片４ａが床板８ａの側面下側と接し、下部垂直片４ｂが床板９ａの側面下側と接する（図５（ｃ））ことにより、隣接する床板８ａと床板９ａとは、平坦部３の左右方向（図２（ａ）中、左右方向）の大きさで規定される統一した間隙を保持できる。
【００３９】
床板８ａ、９ａを設置した後、ビス１０の締め付けを強めれば先端突起部６ａ及び先端突起部６ｂは溝１２の上部側にさらに深く食い込む。それに伴い、下部垂直片４ａと床板８ａの側面下側及び下部垂直片４ｂと床板９の側面下側はそれぞれ圧着され、床板８ａ、９ａの固定がより強固になる。
【００４０】
床板８ａ、９ａを固定後、図５（ａ）に示すように、床板８ａ、９ａとの間に間隙が生じる。この間隙の大きさは、平坦部３の左右方向（図２（ａ）中、左右方向）の大きさ、あるいは、平坦部３に下部垂直片４ａ、４ｂが配備される位置によって異なる。
【００４１】
この間隙に異物が落下するのを防ぐため、図６（ａ）、（ｂ）に示すように、覆い部材として、目地カバー１１を固定金物１ａの溝条７に装着させて固定金物１ａを覆う。
【００４２】
目地カバー１１は、図６（ａ）、（ｂ）に示すように、下端側が開口している断面三角形状で長手方向に延びた形状であり、断面三角形状を構成する各片の下端縁が固定金物１ａの溝条７に装着される。
【００４３】
なお装着方法は、図６（ａ）図示の状態で平面側から嵌め込む方法（図６（ｂ）において上側から嵌め込む方法）や、溝１２の手前側（図４（ａ）、（ｂ）における斜め右下側及び、図６（ｂ）において図面に向かう側）から差し込む２通りの方法がある。
【００４４】
目地カバー１１の弾性力を応用して装着することが望ましいため、覆い部材である目地カバー１１は合成樹脂製のものを使用することが望ましい。このように、合成樹脂などによる弾力を応用して装着することができるので、ビス、接着剤等で固定する必要はない。
【００４５】
目地カバー１１を用いることにより、並列設置したときに隣接する床板８ａ、９ａの間に形成される間隙に異物が落下するのを防ぐことができる。また、目地カバー１１は、固定金物１ａを覆い塞ぐことになるので床板全体の見栄えが向上する効果がある。また、図６（ｂ）図示のように、山形の為雨水等もすぐ排出する。
【００４６】
図示の実施例では支持部である平坦部３の左右の端縁と、上部斜向片５ａ、５ｂの下端との間に、それぞれ、平坦部３の左右の端縁から下側方向に向けて窪む溝条７が形成されていたので、図６（ｂ）図示のように下端側が開口している断面三角形状で長手方向に延びた形状からなる目地カバー１１の断面三角形状を構成する各片の下端縁が固定金物１ａの溝条７に装着されていた。支持部である平坦部３がこのような溝条７を備えていない場合には、下端側が開口している断面三角形状で長手方向に延びた形状からなる目地カバー１１の断面三角形状を構成する各片の下端縁は、支持部である平坦部３の上面によって支持されることになる。
【００４７】
次に、床板設置後、任意の床板を取り外す方法を説明する。
【００４８】
実際の施工では、前記の方法で複数の床板が図３のように連設、固定されてデッキフロアを形成している。この複数の床板のうち任意の一の床板を取り外す場合、目地カバー１１を取り外し、ビス１０を緩める。そして取り外したい一の床板を傾けるように持ち上げると、溝１２の上部側に食い込んでいる先端突起部６ａあるいは６ｂが外れるので、容易に床板を取り外すことができる。前記一の床板を取り外し後、当該取り外した床板の両隣の床板も斜めに持ち上げて取り外すことができる。
【００４９】
このように床板の取り外し、取り付けが極めて容易、かつ任意の場所でできる。また、床板８ａと９ａに固定金物１ａを嵌挿させて水平に並べるだけで、先端突起部６ａ、６ｂが食い込む為、床板自体の相互の動きはないので、根太のつけられない平坦部、すぐ取り外すイベント等に適し、根太なし、ネジなしの施工も可能である。
【００５０】
このように一時的に隣接する床板８ａと床板９ａとを両者の間に固定金物１ａの左右方向の大きさ意に対応した隙間を空けて並列に設置するだけであるならば、前述したように、ビス１０による固定を省略することができ、この場合には、図示し、説明した固定金物１ａにおいて、ビス孔２を備えていない構造ものものを採用することができる。
【実施例２】
【００５１】
本考案の他の実施例を図７に基づいて説明する。
【００５２】
図７は、本実施例に係る他の固定金物１ｂの形状・構造の一例を示している。
【００５３】
本実施例のうち、図１から図６に図示し、実施例１で説明した構成部材と共通する部分には共通する符合をつけて説明を省略する。
【００５４】
固定金物１ｂは、ビス孔２を備えていて、長手方向に延びる中央の支持部に該当する平坦部３、平坦部３の左右の端縁から上側方向に形成された目地カバー受け１３、目地カバー受け１３が形成されている端縁からそれぞれ平坦部３に直交し、下側方向に向かって延びる２枚の下部垂直片４ａ、４ｂ、平坦部３の左右の端縁に対向する端縁からそれぞれ平坦部３から離れる方向で斜め上側に向かって延びる２枚の上部斜向片５ａ、５ｂを備えている。
【００５５】
目地カバー受け１３が前記長手方向に直交する方向である平坦部３の左右の方向における平坦部の端縁からそれぞれ上側方向に形成された突部に該当する。
【００５６】
この実施例では、平坦部３の左右の端縁と、上部斜向片５ａ、５ｂの下端との間には、それぞれ平坦部３の左右の端縁から下側方向に向けて窪む溝条７が形成されている。
【００５７】
この実施例では、ビス孔２は平坦部３の中央に形成されている。
【００５８】
２枚の下部垂直片４ａ、４ｂは、平坦部３の前記ビス孔２が形成されている位置を中心として対称となる位置に形成されている。
【００５９】
上部斜向片５ａ、５ｂそれぞれの上端縁には、各上部斜向片が延びる方向に突出する先端突起部６ａ、６ｂが形成されている。
【００６０】
固定金物１ｂの床板への取り付け方法及び床板の設置、固定方法は実施例１における説明と同様であるので、その説明を省略する。
【００６１】
本実施例において、図７（ｂ）に示すように、床板８ｂ、９ｂの溝１２が深く、また床板の側面下側の幅が広くなっている。
【００６２】
そこで、前記のような床板に対応させるため、固定金物１ｂには、目地カバー受け１３を設けている。これにより、目地カバー１１の下端縁を目地カバー１３の立ち上がり部分の範囲内に収めることができ、固定金物１ｂを塞ぐことができる。
【００６３】
また、床板８ｂ、９ｂの取り外しについては、取り外したい一の床板と両隣の目地カバー１１を抜き取り、床板とを固定しているビス１０を緩め、当該床板を傾けるように持ち上げると、床板の側面下側の幅が広くなっているので、溝の上部側に食い込んでいる先端突起部６ａ、６ｂが外れやすくなる。従って、図３に示される床板８ａ、９ａに比べ床板の取り外しがさらに容易になる。
【実施例３】
【００６４】
本考案の他の実施例を図８に基づいて説明する。
【００６５】
図８は、本実施例に係る固定金物１ｃの形状を示している。
【００６６】
本実施例のうち、図１から図７に図示した実施例１、２で説明した構成部材と共通する部分には共通する符合をつけて説明を省略する。
【００６７】
固定金物１ｃは、ビス孔２を備えていて、長手方向に延びる中央の平坦部３、前記平坦部３の左右の端縁からそれぞれ前記平坦部に直交し、下側方向に向かって延びる２枚の下部垂直片４ａ、４ｂ、及び前記平坦部３の左右の端縁に対向する端縁からそれぞれ前記平坦部３から離れる方向で斜め上側に向かって延びる２枚の上部斜向片５ａ、５ｂとで構成されている。
【００６８】
また、前記平坦部３の左右の端縁と、前記上部斜向片５ａ、５ｂの下端との間には、それぞれ前記平坦部３の左右の端縁から下側方向に向けて窪む溝条７が形成されている。
【００６９】
前記ビス孔２は前記平坦部３の中央に形成されている。
【００７０】
前記２枚の下部垂直片４ａ、４ｂは、前記平坦部３の前記ビス孔２が形成されている位置を中心として対称となる位置に形成されている。
【００７１】
前記上部斜向片５ｂの上端縁には、上部斜向片が伸びる方向に突出する先端突起部６が形成されている。
【００７２】
この実施例が実施例１と相違している点は、上部斜向片５ａに、先端突起部が設けられていない点である。
【００７３】
この実施例の固定金物１ｃを利用した床板８ｂ、９ｂの固定は実施例１で説明したものとほぼ同様である。
【００７４】
上部斜向片５ｂを床板９ｂに設けられている溝１２に嵌挿する。このとき先端突起部６ｂが溝１２の上部側に食い込むので、床板９ｂと固定金物１ｃは滑ることなく固定される。
【００７５】
上部斜向片５ｂを溝１２に嵌挿した後、ビス孔２へビス１０を挿入し、ビス１０の下端部を根太に螺入し床板９ｂを仮固定する。
【００７６】
前記した後、上部斜向片５ａは平坦部３から離れる方向で斜め上側に向かって延びているので、床板８ｂの溝１２を斜め方向から上部斜向片５ａに嵌挿させる。このとき床板８ｂと９ｂはＶ字を形成しているので、床板８ｂを根太に接触させるように力を加え、床板８ｂを根太に設置させる。
【００７７】
図８（ｂ）に示すように、上部斜向片５ａには、先端突起部が設けられていないため、床板８ｂを根太に設置させると、上部斜向片５ａと溝１２の上部側に隙間ができるので床板８ｂの滑りが問題となる。
【００７８】
しかし、図８（ｂ）のような床板の設置、固定が連続してなされているので、床板８ｂの両隣のビス１０を締め付けることにより、平坦部３から上側がスプリングを兼ねた略Ｖ字型形状になる固定金物１ｃのスプリング圧と、床板８ｂ両側の側面下側とそれぞれ接触する下部垂直片４ａ、４ｂとが圧着され、床板８ｂも滑ることなく固定される。
【００７９】
床板８ｂ、９ｂを固定後、床板８ｂ、９ｂとの間に間隙が生じる。この間隙は前記実施例における間隙よりも狭い。従って目地カバー１１を用いてこの間隙に露出している固定金物１ｃを覆うには、図８（ｂ）の手前側、すなわち、溝１２側から、図８（ｂ）の置く側に向かって差し込む方法によりなされる。
【００８０】
また、金物１ｃ固定ビスは根太より上方に立ち上げて螺入することにより隣接床板の相互間隙は少なくともビス取外し可能まで移動できることも特徴としている。そこで、床板８ｂ、９ｂの取り外しについては、取り外したい一の床板と両隣の床板とを広げて、固定しているビス１０を緩め、先端突起部が設けられていない側の床板（本実施例では床板８ｂ）を傾けるように持ち上げると、床板９ｂを持ち上げて外そうとするよりも容易に取り外すことができる。これは床板の側面下側の幅が広くなっているのに加え、上部斜向片５ａと溝１２の上部側との隙間を利用して床板８ｂを動かしやすくできるからである。
【実施例４】
【００８１】
本考案の他の実施例を図９（ａ）、（ｂ）、（ｃ）に基づいて説明する。
【００８２】
本実施例のうち、図１から図８に図示した実施例１〜３で説明した構成部材と共通する部分には共通する符合をつけて説明を省略する。
【００８３】
本実施例に係る固定金物１ｄの上部斜向片５ａ、５ｂは、図９（ａ）、（ｂ）に示すようにその長さが実施例１に係る固定金物１ａに比べ長く設定されている。
【００８４】
これは、固定金物を床板に設けられている溝の構造に対応させるためである。
【００８５】
隣接して並列設置される床板８ｃ、９ｃの側面に設けられている水平方向に延びる溝１２、１２が、図９（ａ）、（ｂ）、（ｃ）図示のように、開口部と奥側とで異なり、溝１２の溝幅（図９（ａ）、（ｂ）、（ｃ）中、上下方向の間隔）が溝１２の奥の方で大きくなっている場合に有利なものである。上部斜向片５ａ、５ｂの長さを、溝１２の奥側の溝幅（図９（ａ）、（ｂ）、（ｃ）中、上下方向の間隔）に合わせて設定している。
【００８６】
なお、図９（ｃ）に示すように、二つの上部斜向片５ａ、５ｂのうち、一方の上部斜行片の上端縁にのみ、上部斜向片が延びる方向に突出する先端突起部を形成するような固定金物１ｅとすることもできる。
【００８７】
本実施例では、上部斜向片５ｂの上端縁に、上部斜向片が延びる方向に突出する先端突起部６が形成されている。
【００８８】
従って、固定金物１ｅを床板８ｃ、９ｃに取り付けた後、床板８ｃを取り外したい場合、目地カバー１１を取り外し、ビス１０を緩め、上部斜向片５ａと溝１２の奥側の溝との隙間を利用して床板８ｃを傾けるように持ち上げることにより、床板８ｃを容易に取り外すことができる。
【００８９】
前記のように床板の溝の構造に伴い、上部斜向片等の寸法も設定されるので、床板の溝に適した固定金物を提供することができる。
【符号の説明】
【００９０】
１  固定金物
２  ビス孔
３  平坦部
４  下部垂直片
５  上部斜向片
６  先端突起部
７  溝条
１０  ビス
１１  目地カバー
１２  溝
１３  目地カバー受け
【図１】
0003158830.tif 000003
【図２】
0003158830.tif 000004
【図３】
0003158830.tif 000005
【図４】
0003158830.tif 000006
【図５】
0003158830.tif 000007
【図６】
0003158830.tif 000008
【図７】
0003158830.tif 000009
【図８】
0003158830.tif 000010
【図９】
0003158830.tif 000011
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
長手方向に延びる中央の支持部と、
前記長手方向に直交する方向である前記支持部の左右の方向における前記支持部の端縁からそれぞれ下側方向に向かって延びる２枚の下部垂直片と、
前記下部垂直片が配備されている前記支持部の左右の端縁に対向する端縁からそれぞれ前記支持部から離れる方向で斜め上側に向かって延びる２枚の上部斜向片と、
前記上部斜向片におけるいずれか一方又は双方の上部斜向片の上端縁に形成されていて、当該いずれか一方の上部斜向片が延びる方向、又は、双方の上部斜向片が延びる方向に突出する先端突起部と
を備えている固定金物。
【請求項２】
長手方向に延びる中央の支持部と、
前記長手方向に直交する方向である前記支持部の左右の方向における前記支持部の端縁からそれぞれ上側方向に形成された突部と、
前記突部が形成されている端縁からそれぞれ下側方向に向かって延びる２枚の下部垂直片と、
前記突部及び下部垂直片が配備されている前記支持部の左右の端縁に対向する端縁からそれぞれ前記支持部から離れる方向で斜め上側に向かって延びる２枚の上部斜向片と、
前記上部斜向片におけるいずれか一方又は双方の上部斜向片の上端縁に形成されていて、当該いずれか一方の上部斜向片が延びる方向、又は、双方の上部斜向片が延びる方向に突出する先端突起部と
を備えている固定金物。
【請求項３】
前記支持部がビス挿通孔を備えていることを特徴とする請求項１又は２記載の固定金物。
【請求項４】
前記ビス挿通孔は前記支持部の長手方向における中央部に形成されており、
前記下部垂直片は、前記支持部の前記ビス挿通孔が形成されている位置を中心として対称となる位置に形成されている
ことを特徴とする請求項３記載の固定金物。
【請求項５】
前記支持部の左右の端縁と、前記上部斜向片の下端との間に、前記支持部の左右の端縁から下側方向に向けて窪む溝条が形成されていることを特徴とする請求項１乃至４のいずれか一項記載の固定金物。
【請求項６】
請求項１乃至４のいずれか一項記載の固定金物に対して組み合わされる覆い部材であって、
下端側が開口している断面三角形状で長手方向に延び、三角形状を構成する各片の下端縁が前記支持部の上側面で支持されることを特徴とする覆い部材。
【請求項７】
請求項５記載の固定金物に対して組み合わされる覆い部材であって、
下端側が開口している断面三角形状で長手方向に延び、三角形状を構成する各片の下端縁が、固定金物が備える支持部の左右の端縁と、上部斜向片の下端との間に、前記支持部の左右の端縁から下側方向に向けて窪む溝状に装着されることを特徴とする覆い部材。
【手続補正２】
【補正対象書類名】明細書
【補正対象項目名】００１４
【補正方法】変更
【補正の内容】
【００１４】
請求項７の考案は、
請求項５記載の固定金物に対して組み合わされる覆い部材であって、
下端側が開口している断面三角形状で長手方向に延び、三角形状を構成する各片の下端縁が、固定金物が備える支持部の左右の端縁と、上部斜向片の下端との間に、前記支持部の左右の端縁から下側方向に向けて窪む溝状に装着されることを特徴とする覆い部材である。